(57)【要約】【課題】画像表示プロジェクタにおいて、高価な耐熱仕様の冷却ファン及びコネクタを不要として、コストダウンを図る。【解決手段】第１ケーブル２ｃに円錐状の熱気拡散板１３を装着することにより、ケーブル挿通穴１１ｃと第１ケーブル２ｃとの隙間から排出された熱気を拡散し、第１コネクタ２ｄ及び第２コネクタ２０ａに熱気が直接当たらないようにする。ケーブル挿通穴１１ｃの近傍において、熱気拡散板１３のケーブル挿通孔１３ａに第１ケーブル２ｃを挿通させて、係合爪１３ｂを係合爪１３ｃに係合させることにより、円錐状の熱気拡散板１３が容易に形成される。【選択図】図２
2007304139.tif 000002
【特許請求の範囲】
【請求項１】
画像投影用の光を出射するバルブを有するランプユニットと、このランプユニットを収容するランプケースと、前記ランプユニットに電力を供給する駆動回路と、前記バルブから出射された光をデジタルマイクロミラーデバイスで反射させることにより画像を形成し、形成した画像を外部スクリーンに投影する機能を有する画像形成部と、外部から画像データが入力される信号入力部と、前記画像形成部を制御して、前記信号入力部に入力された画像データに基づく画像を形成させる機能を有する制御部と、前記ランプユニットに給電するために該ランプユニットから延出された第１ケーブルと、この第１ケーブルの先端に設けられた第1コネクタと、前記駆動回路から延出された第２ケーブルと、この第２ケーブルの先端に設けられ、前記第１コネクタと接続される第２コネクタと、
前記ランプユニットを冷却するために、前記ランプケースの内部に空気を送出するブロアファンとを備え、
前記ランプケースは、前記ブロアファンによって送出された空気を該ランプケースの内部に取り入れるための空気取り入れ口と、前記ランプユニットによって熱せられた熱気を排出するための熱気排出口と、前記第１ケーブルの先端側を該ランプケースの外部に挿通させるためのケーブル挿通穴を有する画像表示プロジェクタにおいて、
前記第１コネクタと前記第２コネクタとは、前記ケーブル挿通穴の近傍において接続され、
前記第１ケーブルには、前記ケーブル挿通穴と該第１ケーブルとの隙間から排出される熱気を拡散させる円錐状の熱気拡散板が装着され、
前記熱気拡散板は、絶縁性を有する耐熱材から成る扇形の板状部材の２つの半径部分を係合させることにより円錐状に形成され、
前記熱気拡散板が前記ケーブル挿通穴と該第１ケーブルとの隙間から排出される熱気を放射状に拡散させることにより、前記第１コネクタ及び第２コネクタに直接熱気が当たらないようにして、該第１コネクタ及び第２コネクタの温度上昇を抑制することを特徴とする画像表示プロジェクタ。
【請求項２】
画像投影用の光を出射するランプユニットと、このランプユニットを収容するランプケースと、前記ランプユニットに電力を供給する駆動回路と、前記ランプユニットから出射された光を適宜反射させることにより画像を形成し、投影する画像形成部と、前記ランプユニットに給電するために該ランプユニットから延出されたケーブルとを備え、
前記ランプケースは、前記ケーブルの先端側を該ランプケースの外部に挿通させるためのケーブル挿通穴を有する画像表示プロジェクタにおいて、
前記ケーブルには、前記ケーブル挿通穴と該ケーブルとの隙間から排出される熱気を拡散させる熱気拡散板が装着されていることを特徴とする画像表示プロジェクタ。
【請求項３】
前記熱気拡散板は、扇形の板状部材から円錐状に形成され、絶縁性を有する耐熱材から成ることを特徴とする請求項２に記載の画像表示プロジェクタ。
【発明の詳細な説明】
【技術分野】
【０００１】
本発明は、画像をスクリーンに投影して表示する画像表示プロジェクタに関する。
【背景技術】
【０００２】
従来より、スクリーンにパーソナルコンピュータ等の画像を投影する用途に用いられるプロジェクタにおいては、バルブの発光に伴うランプユニットの過熱を防止するために、冷却ファンが用いられている。例えば、特許文献１には、冷却ファンでランプケース内に空気を送出してランプユニットを冷却する画像表示プロジェクタが示されている。また、特許文献２及び特許文献３には、冷却ファンでランプケース内の熱気を排出してランプユニットを冷却する画像表示プロジェクタが示されている。
【０００３】
しかしながら、特許文献２及び特許文献３に示された画像表示プロジェクタにおいては、
ランプユニットによって熱せられた熱気が冷却ファン内を通過する構成となるため、冷却ファンの軸受けを耐熱仕様とする必要があり、コストアップを招来する。一方、ランプケースには、ランプユニットに給電するためのケーブルを挿通させるためのケーブル挿通穴を設ける必要があるところ、特許文献１に示された画像表示プロジェクタにおいては、ランプケース内の気圧がランプケース外より高くなるため、ケーブル挿通穴から高温の熱気が流出する。このため、画像表示プロジェクタの小型化等の要請から、ケーブル挿通穴の近傍にコネクタ等のケーブル接続部品を設けざるを得ない場合には、耐熱仕様のコネクタを採用する必要があり、コストアップを招来する。
【特許文献１】特開２００４−１４２０４号公報
【特許文献２】特開２００２−２５８４０７号公報
【特許文献３】特開２００２−２７３６１号公報
【発明の開示】
【発明が解決しようとする課題】
【０００４】
本発明は、上記課題を解決するためになされたものであり、高価な耐熱仕様の冷却ファン及びコネクタを不要にして、コストダウンを図ることができる画像表示プロジェクタ装置を提供することを目的とする。
【課題を解決するための手段】
【０００５】
上記目的を達成するため請求項１の発明は、画像投影用の光を出射するバルブを有するランプユニットと、このランプユニットを収容するランプケースと、ランプユニットに電力を供給する駆動回路と、バルブから出射された光をデジタルマイクロミラーデバイスで反射させることにより画像を形成し、形成した画像を外部スクリーンに投影する機能を有する画像形成部と、外部から画像データが入力される信号入力部と、画像形成部を制御して、信号入力部に入力された画像データに基づく画像を形成させる機能を有する制御部と、ランプユニットに給電するために該ランプユニットから延出された第１ケーブルと、この第１ケーブルの先端に設けられた第１コネクタと、駆動回路から延出された第２ケーブルと、この第２ケーブルの先端に設けられ、第１コネクタと接続される第２コネクタと、ランプユニットを冷却するために、ランプケースの内部に空気を送出するブロアファンとを備え、ランプケースは、ブロアファンによって送出された空気を該ランプケースの内部に取り入れるための空気取り入れ口と、ランプユニットによって熱せられた熱気を排出するための熱気排出口と、第１ケーブルの先端側を該ランプケースの外部に挿通させるためのケーブル挿通穴を有する画像表示プロジェクタにおいて、第１コネクタと第２コネクタとは、ケーブル挿通穴の近傍において接続され、第１ケーブルには、ケーブル挿通穴と該第１ケーブルとの隙間から排出される熱気を拡散させる円錐状の熱気拡散板が装着され、熱気拡散板は、絶縁性を有する耐熱材から成る扇形の板状部材の２つの半径部分を係合させることにより円錐状に形成され、熱気拡散板がケーブル挿通穴と該第１ケーブルとの隙間から排出される熱気を放射状に拡散させることにより、第１コネクタ及び第２コネクタに直接熱気が当たらないようにして、該第１コネクタ及び第２コネクタの温度上昇を抑制するものである。
【０００６】
請求項２の発明は、画像投影用の光を出射するランプユニットと、このランプユニットを収容するランプケースと、ランプユニットに電力を供給する駆動回路と、ランプユニットから出射された光を適宜反射させることにより画像を形成し、投影する画像形成部と、ランプユニットに給電するために該ランプユニットから延出されたケーブルとを備え、ランプケースは、ケーブルの先端側を該ランプケースの外部に挿通させるためのケーブル挿通穴を有する画像表示プロジェクタにおいて、ケーブルには、ケーブル挿通穴と該ケーブルとの隙間から排出される熱気を拡散させる熱気拡散板が装着されているものである。
【０００７】
請求項３の発明は、請求項２に記載の画像表示プロジェクタにおいて、熱気拡散板は、扇形の板状部材から円錐状に形成されているものである。
【発明の効果】
【０００８】
請求項１の発明によれば、第１ケーブルに装着された円錐状の熱気拡散板がケーブル挿通穴と該第１ケーブルとの隙間から排出される熱気を放射状に拡散させるので、第１コネクタ及び第２コネクタに直接熱気が当たらなくなる。これにより、第１コネクタ及び第２コネクタの温度上昇が抑制され、第１コネクタ及び第２コネクタとして高価な耐熱仕様のコネクタを用いる必要がなくなり、コストダウンを図ることができる。また、扇形の板状部材の２つの半径部分を係合させることにより、円錐状の熱気拡散板を形成するので、安価かつ簡素な構成で熱気拡散板を作成できるだけでなく、第１ケーブルへの装着も容易に行える。また、第１コネクタと第２コネクタとをケーブル挿通穴の近傍において接続するので、装置の小型化を図ることができる。また、熱気拡散板は、絶縁性を有する耐熱材から成るので、短絡等の虞もない。
【０００９】
請求項２の発明によれば、ケーブルに装着された熱気拡散板がケーブル挿通穴から排出される熱気を拡散させるので、ケーブル先端に直接熱気が当たらなくなる。これにより、ケーブル先端の温度上昇が抑制され、ケーブル先端に設けられるコネクタ等の部品として高価な耐熱仕様の部品を用いる必要がなくなり、コストダウンを図ることができる。
【００１０】
請求項３の発明によれば、扇形の板状部材から円錐状の熱気拡散板を形成するので、安価かつ簡素な構成で熱気拡散板を作成できるだけでなく、ケーブルへの装着も容易に行える。
【発明を実施するための最良の形態】
【００１１】
以下、本発明の一実施形態について図面を参照して説明する。図１は、本実施形態に係る画像表示プロジェクタ１を示している。画像表示プロジェクタ１は、例えばメタルハライドランプ及びリフレクタ等を有するランプユニット２と、ランプユニット２に電力を供給する駆動回路３と、ランプユニット２から出射された光を用いて画像を形成する画像形成部４と、外部から画像データが入力される信号入力部５と、外部から操作可能に設けられた操作入力部６と、画像表示プロジェクタ１の各部を制御するマイコンやメモリ等により構成された制御部７と、外部の商用電源に接続された電源部８と、プロジェクタ１の筐体内部に外気を流入させたり筐体内部の空気を外部に排気する送風部９等を備えている。このプロジェクタ１は、例えば外部のパーソナルコンピュータ等に接続されて用いられ、パーソナルコンピュータ等から信号入力部５を介して入力される画像データに基づいて画像を形成し、外部に設置されたスクリーン（図示せず）等に投影するものである。
【００１２】
画像形成部４は、信号入力部５に入力された画像データに基づいて制御部７により制御され、例えばデジタルマイクロミラーデバイス（以下、ＤＭＤと称する）を用いて、その画像データに応じた画像を形成する。画像形成部４は、ＤＭＤと、カラー画像を形成するために、ランプユニット２から出射された光のうち、赤、緑及び青の光を順次透過させるカラーホイールと、カラーホイールを回転させるためのモータと、制御部７による制御を受けてこれらを駆動するための駆動ドライバ等を有している。カラーホイールは、ランプユニット２から出射された光のうち、赤、緑及び青の光を順次透過させる。ＤＭＤは、カラーホイールによって順次透過された赤、緑及び青の光を画像データに基づいて適宜反射させることにより、画像を形成する。ＤＭＤにより形成された画像は、ズーム、フォーカス等を行うことができるように構成されたレンズ４ａを介して、外部のスクリーン等に向けて投影される。
【００１３】
操作入力部６は、例えば、画像表示プロジェクタ１の筐体に、外部からユーザにより操作可能に配置された操作ボタン及びこの操作ボタンの動作によって切り替えられるスイッチ等によって構成されている。外部から操作入力部６が操作されることにより、それに応じた信号が制御部７に入力され、制御部７は、その信号に応じた制御信号を各部に出力し、各種の動作が実現される。すなわち、ユーザは、操作入力部６を操作することにより、画像表示プロジェクタ１の動作を操作可能である。なお、操作入力部６は、例えば、筐体に設けられた受光部とユーザが操作可能なリモートコントローラとにより構成されたものであってもよい。この場合、受光部とリモートコントローラとの間の赤外線通信等によりユーザが画像表示プロジェクタ１を遠隔操作可能とされる。
【００１４】
送風部９は、冷却ファン及びこの冷却ファンに組み込まれているモータを駆動するモータドライバ等で構成されている。冷却ファンは、画像表示プロジェクタ１の筐体内外における空気の流入出を行うために装備されているものの他、ランプユニット２及びその周辺部の過熱を防止するために、ランプユニット２を局所的に冷却するブロアファン１２（図２参照）が装備されている。画像を投影中の画像表示プロジェクタ１の筐体内の温度及びランプユニット２の温度が適温に保たれるように、各冷却ファンの駆動電圧は、制御部７により制御されている。
【００１５】
図２は、ランプユニット２と、その周辺の構成を示している。ランプユニット２は、画像を投影するための光源となるメタルハライドランプ２ａ及びメタルハライドランプ２ａから出射された光を反射するためのリフレクタ２ｂと、メタルハライドランプ２ａに給電するためにランプソケットから延出された第１ケーブル２ｃ等によって構成されている。ランプユニット２は、ランプケース１１に収容されている。ランプケース１１の側面前方には、ランプケース１１の前方の空気を取り込んでランプケース１１の内側に送出するためのブロアファン１２が設けられている。
【００１６】
ランプケース１１には、ブロアファン１２との接合部において、ブロアファン１２によって送出された空気をランプケース１１の内部に取り入れるための空気取り入口１１ａが形成されている。また、ランプケース１１の背面には、ランプユニット２によって熱せられた熱気を排出するための熱気排出口１１ｂが、側面には、第１ケーブル２ｃの先端側をランプケース１１の外部に挿通させるためのケーブル挿通穴１１ｃが形成されている。第１ケーブル２ｃの先端には、第１コネクタ２ｄが設けられている。第１コネクタ２ｄは、ケーブル挿通穴１１ｃの近傍において駆動回路３から延出された第２ケーブル２０の先端に設けられている第２コネクタ２０ａと接続される。
【００１７】
図２中の矢印は、ブロアファン１２による空気の流れを示している。ランプケース１１の内部には、ブロアファン１２によって空気が送出されるため、またランプユニット２によって空気が熱せられるため、ランプケース１１の内部の気圧は、外部よりも高くなっている。従って、ランプユニット２によって熱せられた高温の熱気は、熱気排出口１１ｂだけでなく、ケーブル挿通穴１１ｃと第１ケーブル２ｃとの隙間からも排出される。そこで、本実施形態においては、第１ケーブル２ｃに円錐状の熱気拡散板１３を装着することにより、ケーブル挿通穴１１ｃと第１ケーブル２ｃとの隙間から排出された熱気を放射状に拡散し、第１コネクタ２ｄ及び第２コネクタ２０ａに熱気が直接当たらないようにしている。
【００１８】
図３は、熱気拡散板１３の展開図を示している。熱気拡散板１３は、例えば、フッ素系樹脂等の絶縁性を有する耐熱材から成る扇形の板状部材によって形成される。扇形の外径は、例えば、２〜３ｃｍ程度とされ、その中心部には、第１ケーブル２ｃを挿通させるためのケーブル挿通孔１３ａが、２つの半径部分（端縁部）には、表面側と裏面側に互いに係合する係合爪１３ｂ、１３ｃが設けられている。ケーブル挿通孔１３ａの直径は、第１ケーブル２ｃの外形寸法にもよるが、例えば、略２〜３ｍｍ程度が適当とされる。ケーブル挿通穴１１ｃの近傍においてケーブル挿通孔１３ａに第１ケーブル２ｃを挿通させて、図４に示すように、係合爪１３ｂを係合爪１３ｃに係合させることにより、円錐状の熱気拡散板１３が形成され、かつ第１ケーブル２ｃに装着される。
【００１９】
以上のように、本実施形態の画像表示プロジェクタ１によれば、第１ケーブル２ｃに装着された熱気拡散板１３がケーブル挿通穴１１ｃと第１ケーブル２ｃとの隙間から排出される熱気を放射状に拡散させることにより、第１コネクタ２ｄ及び第２コネクタ２０ａに直接熱気が当たらなくなる。これにより、第１コネクタ２ｄ及び第２コネクタ２０ａの温度上昇が抑制され、第１コネクタ２ｄ及び第２コネクタ２０ａとして高価な耐熱仕様のコネクタを用いる必要がなくなり、コストダウンを図ることができる。また、扇形の板状部材の２つの半径部分の係合爪１３ｂ、１３ｃを互いに係合させることにより、円錐状の熱気拡散板１３を形成するので、安価かつ簡素な構成で熱気拡散板１３を作成できるだけでなく、第１ケーブル２ｃへの装着も容易に行える。また、第１コネクタ２ｄと第２コネクタ２０ａとをケーブル挿通穴１１ｃの近傍において接続するので、画像表示プロジェクタの小型化を図ることができる。また、熱気拡散板１３は、絶縁性を有する耐熱材から成るので、短絡等の虞もない。
【００２０】
なお、本発明は上記実施形態の構成に限られることなく、少なくともランプユニット２に給電するためのケーブルに熱気拡散板１３が装着されていればよい。また、本発明は種々の変形が可能であり、例えば、空気取り入口１１ａ、熱気排出口１１ｂ及びケーブル挿通穴１１ｃの位置、大きさは、図２に示したものに限られない。
【図面の簡単な説明】
【００２１】
【図１】本発明の一実施形態に係るプロジェクタの構成を示すブロック図。
【図２】同プロジェクタのランプユニットとその周辺の構成を示す断面図。
【図３】同ランプユニットの第１ケーブルに装着される熱気拡散板の展開図。
【図４】同熱気拡散板の係合部を示す側面図。
【符号の説明】
【００２２】
１    プロジェクタ
２    ランプユニット
２ｃ    第１ケーブル
２ｄ    第１コネクタ
３    駆動回路
１１    ランプケース
１１ｃ    ケーブル挿通穴
１２    ブロアファン
１３    熱気拡散板
２０    第２ケーブル
２０ａ    第２コネクタ
【図１】
2007304139.tif 000003
【図２】
2007304139.tif 000004
【図３】
2007304139.tif 000005
【図４】
2007304139.tif 000006